(57)【要約】【課題】従来、自転車全体を覆うカバー体を設けたカバー体付自転車装置は無く、運転者の上部を覆うフードでは、運転者の側面方向を覆っていないため、横からの雨や風を防ぐことができない。【解決手段】自転車１のほぼ全体を覆うカバー体１０の全部又は一部を着脱カバー体１２としてスライド自在に案内するレール部２０等から取り外し可能に設けてなる着脱カバー付自転車装置。【選択図】　　　　　　　　図１
2004082746.tif 000002
【特許請求の範囲】
【請求項１】
自転車のほぼ全体を覆うカバー体の全部又は一部を着脱カバー体として取り外し可能に設けてなる着脱カバー付自転車装置。
【請求項２】
請求項１に記載の着脱カバー付自転車装置において、自転車本体にカバー体取付フレームを一体に取付、カバー体取付フレームに対して着脱カバー体を取り外し可能に設けてなる着脱カバー付自転車装置。
【請求項３】
請求項２に記載の着脱カバー付自転車装置において、カバー体取付フレームに着脱カバー体を前後方向にスライド自在に案内するレール部を設けてなる着脱カバー付自転車装置。
【請求項４】
請求項３に記載の着脱カバー付自転車装置において、レール部に沿って移動した着脱カバー体をレール部端部付近において取り外し可能に設けてなる着脱カバー付自転車装置。
【請求項５】
請求項３又は４に記載の着脱カバー付自転車装置において、カバー体取付フレームに設けたレール部にスライド自在に中継レール部を設け、中継レール部に沿って着脱カバー体をスライド自在に設けてなる着脱カバー付自転車装置。
【請求項６】
請求項１乃至５に記載の着脱カバー付自転車装置において、着脱カバー体を自転車本体後方に位置して設けてなる着脱カバー付自転車装置。
【請求項７】
請求項１乃至６に記載の着脱カバー付自転車装置において、自転車本体が三輪以上の車輪を備える車からなる着脱カバー付自転車装置。
【請求項８】
請求項１乃至７に記載の着脱カバー付自転車装置において、自転車本体、着脱カバー体又はカバー体取付フレームが走行に伴って充電可能な電池と駆動モーターを具備することからなる着脱カバー付自転車装置。
【請求項９】
請求項１乃至８に記載の着脱カバー付自転車装置において、自転車本体、着脱カバー体又はカバー体取付フレームに、足こぎに伴って充電可能な電池を具備することからなる着脱カバー付自転車装置。
【請求項１０】
請求項１乃至９に記載の着脱カバー付自転車装置において、自転車本体、着脱カバー体又はカバー体取付フレームに、足こぎに伴って回転する車輪を回転自在に支持する停止スタンドを設けてなる着脱カバー付自転車装置。
【発明の詳細な説明】
【０００１】
【発明の属する技術分野】
本発明は、着脱カバー付自転車装置に関する。
【０００２】
【従来の技術】
従来、自転車に雨よけ等のフードを設けたものとして、運転者の上部のみを覆うフードを設けた自転車（特開平１１−５９５５２）、或いは、運転部のみを覆うフードを取り外し可能に設けた自転車（特開昭５０−４１２４３）等が知られている。
【０００３】
【発明が解決しようとする課題】
しかし、自転車全体を覆うカバー体を設けたカバー体付自転車装置は無く、運転者の上部を覆うフードでは、運転者の側面方向を覆っていないため、横からの雨や風を防ぐことができない。
【０００４】
【課題を解決するための手段】
そこで本発明は、自転車のほぼ全体を覆うカバー体の全部又は一部を着脱カバー体として取り外し可能に設けてなる着脱カバー付自転車装置を提供するものである。
【０００５】
本発明によれば、自転車のほぼ全体を覆うカバー体を設けたから風雨、紫外線（太陽光）等を防ぐことができると共に、カバー体の全部又は一部を着脱カバー体として取り外すことができるから、自転車の乗り降りが容易なばかりでなく、好天候の場合には、着脱カバー体を取り外して可能な限り好適な空気を呼吸することができ、また、森林浴等をすることができ、また、屋外に限らず屋内において、健康や発電のために自転車をこぐ場合には、着脱カバーを取り外して容易に使用することができる。
【０００６】
また、本発明は、請求項２に記載のように、請求項１に記載の着脱カバー付自転車装置において、自転車本体にカバー体取付フレームを一体に取付、カバー体取付フレームに対して着脱カバー体を取り外し可能に設けてなる着脱カバー付自転車装置を提供するものである。
【０００７】
本発明によれば、自転車本体に一体に設けたカバー体取付フレームに対して着脱カバー体を取り外すことにより、カバー体の着脱構造と着脱操作を容易にすることができると共に、カバー体取付フレームは車体構造を強化することができ、且つ、着脱カバー体を取り外した場合にはバンパー機能を有することとなる。
【０００８】
また、本発明は、請求項３に記載のように、請求項２に記載の着脱カバー付自転車装置において、カバー体取付フレームに着脱カバー体を前後方向にスライド自在に案内するレール部を設け、レール部に沿って移動した着脱カバー体をレール部端部付近において取り外し可能に設けてなる着脱カバー付自転車装置を提供するものである。
本発明によれば、着脱カバー体をレール部に沿って移動して開放し、自転車への乗り降りを容易にすることができる。
【０００９】
また、本発明は、請求項４に記載のように、請求項３に記載の着脱カバー付自転車装置において、レール部に沿って移動した着脱カバー体をレール部端部付近において取り外し可能に設けてなる着脱カバー付自転車装置を提供するものである。
本発明によれば、着脱カバー体をレール部端部付近において容易に着脱することができる。
【００１０】
また、本発明は、請求項５に記載のように、請求項３又は４に記載の着脱カバー付自転車装置において、カバー体取付フレームに設けたレール部にスライド自在に中継レール部を設け、中継レール部に沿って着脱カバー体をスライド自在に設けてなる着脱カバー付自転車装置を提供するものである。
本発明によれば、中継レール部の分だけレール部に対して着脱カバー体のスライド距離を大きくすることができる。
【００１１】
また、本発明は、請求項６に記載のように、請求項１乃至５に記載の着脱カバー付自転車装置において、着脱カバー体を自転車本体後方に位置して設けてなる着脱カバー付自転車装置を提供するものである。
本発明によれば、着脱カバー体を取り外しても前方カバー体だけで自転車の走行に支障が生じない。
【００１２】
また、本発明は、請求項７に記載のように、請求項１乃至６に記載の着脱カバー付自転車装置において、自転車本体が三輪以上の車輪を備える自転車からなる着脱カバー付自転車装置を提供するものである。
本発明によれば、三輪以上の車輪により自転車本体が転倒することがなく、安定して走行することができる。
【００１３】
また、本発明は、請求項８に記載のように、請求項１乃至７に記載の着脱カバー付自転車装置において、自転車本体、着脱カバー体又はカバー体取付フレームが走行に伴って充電可能な電池と駆動モーターを具備することからなる着脱カバー付自転車装置を提供するものである。
本発明によれば、駆動モータにより走行することができ、走行に伴って電池に充電できると共に、電池と駆動モーターを自転車本体、着脱カバー体又はカバー体取付フレームに選択的に装備することができる。
【００１４】
また、本発明は、請求項９に記載のように、請求項１乃至８に記載の着脱カバー付自転車装置において、自転車本体、着脱カバー体又はカバー体取付フレームに、足こぎに伴って充電可能な電池を設けてなる着脱カバー付自転車装置を提供するものである。
本発明によれば、走行中に限らず室内等において停車中に、足こぎによって電池に充電できると共に、電池を自転車本体、着脱カバー体又はカバー体取付フレームに選択的に装備することができる。
【００１５】
また、本発明は、請求項１０に記載のように、請求項１乃至９に記載の着脱カバー付自転車装置において、自転車本体、着脱カバー体又はカバー体取付フレームに、足こぎに伴って回転する車輪を回転自在に支持する停止スタンドを設けてなる着脱カバー付自転車装置を提供するものである。
本発明によれば、室内等において停車中に、停止スタンドによって支持した車輪を足こぎによって回転して、運動することができると共に、停止スタンドを自転車本体、着脱カバー体又はカバー体取付フレームに選択的に装備することができる。
【００１６】
【発明の実施の形態】
以下図示する実施例に基づいて本発明の実施の形態を説明する。
図１において、１０は自転車本体１のほぼ全体を覆うカバー体で、カバー体１０の前部は固定カバー体１１として自転車本体１と一体に設けてあり、後部は着脱カバー体１２として取り外し可能に設けてある。
また、固定カバー体１１と着脱カバー体１２との接合部は、風雨避けに密封するように凹凸又は重ね合わせに密着するように構成することができると共に、着脱式の開閉具や開閉操作取っ手を設けることも可能である。
【００１７】
実施例の場合、カバー体１０は、透明、半透明又は不透明な合成樹脂板等からなり、比較的柔軟な合成樹脂板等からなる場合は、骨格を形成するカバー体取付フレーム１３に取り付けることによりカバー体１０を強化すると共に、自転車本体１と一体なフレーム構造又は骨組みにより自転車本体１に一体に固定することができる。
【００１８】
また、カバー体１０を強化プラスチック等で形成した場合には、カバー体１０自体により形状を保持し、自転車本体１に固定するように構成することもできるが、逆に、カバー体１０が柔軟な合成樹脂シートからなる場合は、骨格を形成する骨組によりカバー体１０の形状を保持すると共に、骨組により自転車本体１のカバー体取付フレーム１３に一体に固定するように構成することができる。
また、カバー体１０を紫外線遮断性の素材で構成することにより、人体に有害な紫外線等を遮断することができる。
【００１９】
１４は、前部の固定カバー体１１を取り付けるために、カバー体取付フレーム１３に一体に設けた取付アングルで、図では省略したが、この取付アングル１４と同一形状のアングル部材を固定カバー体１１の両側に設けて、両者を重ね合わせて固定部分１５により固定することができるように構成してある。
【００２０】
実施例の場合、自転車本体１は操舵用の一個の前輪２とサドル４支持用の二個の後輪３の三輪車からなり、前記カバー体取付フレーム１３は、前輪側部から後輪側部の両側に平行に位置するように、車体骨組６に一体に固定した固定部材５によって一体に固定してある。
カバー体取付フレーム１３の前後部はＵ字状に前輪２、後輪３の前後を保護し、バンパーの役割を果たすと共に、後部両側には着脱カバー体１２を前後方向にスライド自在に案内するレール部２０を設けてある。
【００２１】
実施例の場合、レール部２０は、図２に記載するように、カバー体取付フレーム１３の側面に固定した断面Ｃ字状の固定レール部２１と、固定レール部２１に嵌合して移動する断面コ字状の第１接続レール部２２とその外側に断面Ｃ字状に第２接続レール部２３を一体に具備する中継レール部２４と、中継レール部２４に嵌合して移動する断面コ字状のガイドレール２５と、ガイドレール２５に固定ねじ２７等により一体に固定した取付アングル２６とからなる。
【００２２】
取付アングル２６には、図１に記載のように、着脱カバー体１２に一体に設けたアングル部材１６を、固定ねじ１７等により一体に固定してあり、着脱カバー体１２を後方に引っ張ると、中継レール部２４の第２接続レール部２３からガイドレール２５が外れて、そのまま着脱カバー体１２を取り外すことができるように構成してある。
【００２３】
この場合、固定レール部２１から中継レール部２４が抜け出ないようにストッパーを設けるように構成することができると共に、逆に、ガイドレール２５と中継レール２４の第２接続レール部２３との間にストッパーを設けて、固定レール２１から中継レール２４が抜け出るようにして、中継レール部２４とガイドレール２５が固定レール部２１から外れて、そのまま着脱カバー体１２を取り外すことができるように構成することも可能である。
【００２４】
また、中継レール２４を除去して固定レール２１に直接にガイドレール２５を移動自在に係合する構成にすることも可能である。
このようにして、レール部２０に沿って移動した着脱カバー体１２をレール部２０端部付近において取り外すことができると共に、固定レール部２１にガイドレール２５を装着して容易に取り付けることができる。
【００２５】
その他、図では省略したが、カバー体には、取っ手、サイド窓、フロント窓、後方窓、サイドミラー、ワイパー、夜間照明用のフロントライト、反射機能付き後部ライト等を設けることができる。
また、７は足踏式のペダルで、スプロケット間に設けたチェーン８等を介して中継軸で受け、後輪３の車軸をチェーン１８を介して駆動するように構成してあり、中継軸に駆動モーターと発電機９が設けてある。
【００２６】
１９は電池等の収納部で、図では省略した配線により、電池と駆動モーターと発電機９に接続してある。
なお、電池や電気回路部品、配線等は、カバー体取付フレーム１３や固定カバー体１２に設けることが可能である。
【００２７】
また、図では省略したが、自転車本体１、車体骨組６、着脱カバー体１２又はカバー体取付フレーム１３等に、足こぎに伴って回転する車輪を回転自在に支持する停止スタンドを設けて、室内等において停車中に、停止スタンドによって支持した車輪を足こぎによって回転して、運動することができると共に、停止スタンドを自転車本体、着脱カバー体又はカバー体取付フレームに選択的に装備することができる。
【００２８】
【発明の効果】
以上の通り、本発明に係る着脱カバー付自転車装置によれば、自転車のほぼ全体を覆うカバー体の全部又は一部を着脱カバー体として取り外し可能に設けてなる構成を有することにより、自転車のほぼ全体を覆うカバー体によって、風雨、紫外線（太陽光）等を防ぐことができると共に、カバー体の全部又は一部を着脱カバー体として取り外すことができるから、自転車の乗り降りが容易なばかりでなく、好天候の場合には、着脱カバー体を取り外して可能な限り好適な空気を呼吸することができ、また、森林浴等をすることができ、また、屋外に限らず屋内において、健康や発電のために自転車をこぐ場合には、着脱カバーを取り外して容易に使用することができる効果がある。
【００２９】
また、本発明は、請求項２に記載のように、請求項１に記載の着脱カバー付自転車装置において、自転車本体にカバー体取付フレームを一体に取付、カバー体取付フレームに対して着脱カバー体を取り外し可能に設けてなる構成を有することにより、自転車本体に一体に設けたカバー体取付フレームに対して着脱カバー体を取り外すことにより、カバー体の着脱構造と着脱操作を容易にすることができると共に、カバー体取付フレームは車体構造を強化することができ、且つ、着脱カバー体を取り外した場合にはバンパー機能を有することとなる効果がある。
【００３０】
また、本発明は、請求項３に記載のように、請求項２に記載の着脱カバー付自転車装置において、カバー体取付フレームに着脱カバー体を前後方向にスライド自在に案内するレール部を設け、レール部に沿って移動した着脱カバー体をレール部端部付近において取り外し可能に設けてなる構成を有することにより、着脱カバー体をレール部に沿って移動して開放し、自転車への乗り降りを容易にすることができる効果がある。
【００３１】
また、本発明は、請求項４に記載のように、請求項３に記載の着脱カバー付自転車装置において、レール部に沿って移動した着脱カバー体をレール部端部付近において取り外し可能に設けてなる構成を有することにより、着脱カバー体をレール部端部付近において容易に着脱することができる効果がある。
【００３２】
また、本発明は、請求項５に記載のように、請求項３又は４に記載の着脱カバー付自転車装置において、カバー体取付フレームに設けたレール部にスライド自在に中継レール部を設け、中継レール部に沿って着脱カバー体をスライド自在に設けてなる構成を有することにより、中継レール部の分だけレール部に対して着脱カバー体のスライド距離を大きくすることができる効果がある。
【００３３】
また、本発明は、請求項６に記載のように、請求項１乃至５に記載の着脱カバー付自転車装置において、着脱カバー体を自転車本体後方に位置して設けてなる構成を有することにより、着脱カバー体を取り外しても前方カバー体だけで自転車の走行に支障が生じない効果がある。
【００３４】
また、本発明は、請求項７に記載のように、請求項１乃至６に記載の着脱カバー付自転車装置において、自転車本体が三輪以上の車輪を備える自転車からなる構成を有することにより、三輪以上の車輪により自転車本体が転倒することがなく、安定して走行することができる効果がある。
【００３５】
また、本発明は、請求項８に記載のように、請求項１乃至７に記載の着脱カバー付自転車装置において、自転車本体、着脱カバー体又はカバー体取付フレームが走行に伴って充電可能な電池と駆動モーターを具備することからなる構成を有することにより、駆動モータにより走行することができ、走行に伴って電池に充電できると共に、電池と駆動モーターを自転車本体、着脱カバー体又はカバー体取付フレームに選択的に装備することができる効果がある。
【００３６】
また、本発明は、請求項９に記載のように、請求項１乃至８に記載の着脱カバー付自転車装置において、自転車本体、着脱カバー体又はカバー体取付フレームに、足こぎに伴って充電可能な電池を設けてなる構成を有することにより、走行中に限らず室内等において停車中に、足こぎによって電池に充電できると共に、電池を自転車本体、着脱カバー体又はカバー体取付フレームに選択的に装備することができる効果がある。
【００３７】
また、本発明は、請求項１０に記載のように、請求項１乃至９に記載の着脱カバー付自転車装置において、自転車本体、着脱カバー体又はカバー体取付フレームに、足こぎに伴って回転する車輪を回転自在に支持する停止スタンドを設けてなる構成を有することにより、室内等において停車中に、停止スタンドによって支持した車輪を足こぎによって回転して、運動することができると共に、停止スタンドを自転車本体、着脱カバー体又はカバー体取付フレームに選択的に装備することができる効果がある。
【図面の簡単な説明】
【図１】本発明に係るカバー体付自転車装置の一実施例を示す概略分解斜視図。
【図２】その要部の概略斜視図。
【符号の説明】
１　　　自転車本体
２　　　前輪
３　　　後輪
４　　　サドル
５　　　固定部材
６　　　車体骨組
１０　　カバー体
１１　　固定カバー体
１２　　着脱カバー体
１３　　カバー体取付フレーム
１４　　取付アングル
１５　　固定部分
１６　　アングル部材
１７　　固定ねじ
２０　　レール部
２１　　固定レール部
２２　　第１接続レール部
２３　　第２接続レール部
２４　　中継レール部
２５　　ガイドレール
２６　　取付アングル
２７　　固定ねじ
【図１】
2004082746.tif 000003
【図２】
2004082746.tif 000004